(57)【要約】ここに記載されているのは、通信ネットワークにおける接続を制御する方法である。ここではプログラム可能な計算機にこの接続のモデルが形成され、このモデルの振る舞いを用い、そこに設定される手段に基づいて、通信ネットワークに設定すべき手段を導き出す。さらにベアラに依存しない呼制御ネットワークに対するネットワークコンフィギュレーションが記載されており、ここでは場合によっては本発明の接続モデルが使用されて、ゲートウェイサービングノードＧＳＮの機能が、ゲートウェイサービスノードＩＳＮの機能に組み込まれる。さらに本発明は、本発明の方法を実施する装置に関する。
2004532582.tif 000002
【特許請求の範囲】
【請求項１】
通信ネットワークにおける接続、例えば少なくとも１つの第１通信端末装置と第２通信端末装置との間の接続を制御する方法において、
−  プログラム可能な計算機にて前記接続のモデルを形成し、
−  該接続の状態に対応付けられた初期状態に当該モデルを設定し、
−  前記通信ネットワークにて該接続に関連して設定された第１手段を実行する際に、対応付けられた状態変化を前記モデルにて発生させ、
−  前記モデルにて第２手段を設定し、
−  前記モデルの振る舞いを用い第２手段に基づき、前記通信ネットワークにて当該第２手段を設定するか、別の手段を設定するか、または手段を設定しないかを判定することを特徴とする、
通信ネットワークにおける接続を制御する方法。
【請求項２】
第１通信ネットワークにおける接続、例えば少なくとも１つの第１通信端末装置と第２通信端末装置との間の接続を制御する方法であって、
−  前記第１通信ネットワークＮＥＴ１にて前記の２つの端点について、当該接続の所定の状態を得るための手段の第１集合が設定されており、
−  第２通信ネットワークＮＥＴ２にて前記の２つの端点について、前記の接続の同じ状態を得るための手段の第２集合が設定されている形式の、第１通信ネットワークにおける接続において、
−  プログラム可能な計算機にて前記の第２通信ネットワークＮＥＴ２の接続のモデルを形成し、
−  前記接続の状態に対応付けられた初期状態に当該モデルを設定し、
−  前記の第１通信ネットワークＮＥＴ１または第２通信ネットワークＮＥＴ２にて前記接続に関連して設定される第１手段を実行する際に、対応する状態変化を前記モデルにて発生させ、
−  前記第１通信ネットワークＮＥＴ１または第２通信ネットワークＮＥＴ２の第２手段を前記モデルにて設定し、
−  前記モデルの振る舞いを用い第２手段に基づき、前記第１通信ネットワークＮＥＴ１および／またはＮＥＴ２にて手段を導出し、場合によっては該手段を設定することを特徴とする、
第１通信ネットワークにおける接続を制御する方法。
【請求項３】
−  前記接続モデルを、オブジェクトとそのリンクとから構成し、
−  第１手段を実行する際にプログラム可能な計算機にて、対応付けられたオブジェクトを形成するかまたは消去し、および／または
−  第１手段を実行する際に、対応付けられた複数のオブジェクトをリンクするか、または互いに切断し、および／または
−  第１手段を実行する際に、モデルに使用され対応付けられたパラメタを変化させる、
請求項１または２に記載の方法。
【請求項４】
−  オブジェクトとして送信チャネルＳＣＨのモデルを設け、および／または
−  オブジェクトとして受信チャネルＲＣＨのモデルを設け、および／または
−  オブジェクトとしてスイッチングエレメントＳＷのモデルを設け、これによって送信チャネルＳＣＨへの受信チャネルＲＣＨの接続および切断またはその逆が行われるようにし、および／または
−  オブジェクトとして信号発生器ＴＯＧのモデルを設け、当該オブジェクトの送信チャネルＳＣＨと、別のオブジェクトの受信チャネルＲＣＨとを接続し、および／または
−  オブジェクトとして信号受信器ＣＲのモデルを設け、当該オブジェクトの受信チャネルＲＣＨと、別のオブジェクトの送信チャネルＳＣＨとを接続し、および／または
−  オブジェクトとして結合形信号ソース／シンクＳＲのモデルを設け、当該結合形信号ソース／シンクＳＲの送信チャネルＳＣＨと、別のオブジェクトのＲＣＨとを接続し、および／または前記結合形信号ソース／シンクＳＲの受信チャネルＲＣＨと、別のオブジェクトの送信チャネルＳＣＨとを接続し、および／または
−  オブジェクトとして変換エレメントＣＯＮＶを設けて、通信端末装置ＴＫＥのアドレスＡＤＤＲを１アドレス形式から別のアドレス形式に変換する、
請求項３に記載の方法。
【請求項５】
−  通信ネットワークとしてベアラに依存しない呼制御ネットワークを設け、
−  ゲートウェイサービングノードＧＳＮの機能、例えば、ゲートウェイベアラインターワーキング機能Ｇ−ＢＩＷＦに関連する構成部分を前記モデルに組み込み、および／または
−  インタフェースサービングノードＩＳＮの機能を前記モデルに組み込み、および／または
−  ベアラインターワーキング機能ＢＩＦＷを前記モデルに組み込み、および／または
−  ゲートウェイベアラインターワーキング機能Ｇ−ＢＩＷＦをモデルに組み込む、
請求項１から４までのいずれか１項に記載の方法。
【請求項６】
通信ネットワークにおける接続、例えば少なくとも１つの第１通信端末装置と第２通信端末装置との間の接続を制御する方法であって、
前記通信ネットワークは技術的に別個のサブネットワークから構成されており、
サブネットワークに対して、例えば、ベアラに依存しない呼制御ネットワークが設けられている形式の、通信ネットワークにおける接続を制御する方法において、
−  ゲートウェイサービングノードＧＳＮの機能、例えばゲートウェイベアラインターワーキング機能Ｇ−ＢＩＷＦに関連する構成部分を、インタフェースサービングノードＩＳＮの機能に組み込むことを特徴とする、
通信ネットワークにおける接続を制御する方法。
【請求項７】
第１ベアラインターワーキング機能ＢＩＷＦａと第２ベアラインターワーキング機能ＢＩＷＦｂを介してサービスチャネルスイッチングを導く、
請求項６に記載の方法。
【請求項８】
−  ゲートウェイサービングノードＧＳＮの機能、例えば、ゲートウェイベアラインターワーキング機能Ｇ−ＢＩＷＦに関連する構成部分、および／または
−  インタフェースサービングノードＩＳＮの機能、および／または
−  ベアラインターワーキング機能ＢＩＷＦ、および／または
−  ゲートウェイベアラインターワーキング機能Ｇ−ＢＩＷＦを、通信ネットワークＮＥＴにおける接続のモデルに対応付ける、
請求項６または７に記載の方法。
【請求項９】
通信ネットワークにおける接続を制御する方法を実施する装置において、
−  該装置は、プログラム可能な計算機を含んでおり、該計算機は、通信ネットワークにおける接続のモデルを記憶および管理するのに有利な計算機であり、
−  状態変化を発生させる手段がモデルに設けられており、該状態変化は、前記通信ネットワークに設定される第１手段に対応付けられており、
−  モデルにて第２手段を設定する手段が設けられており、
−  前記装置は、第２手段に基づいてモデルの振る舞いを評価する手段と、通信ネットワークにて該第２手段を設定するか、別の手段を設定するか、または手段を設定しないかを判定する手段とを含んでおり、
−  前記装置には、モデルから出発して、通信ネットワークにて手段を設定する手段が設けられていることを特徴とする、
請求項１から５までのいずれか１項に記載の、通信ネットワークにおける接続を制御する方法を実施する装置。
【請求項１０】
通信ネットワークにおける接続を制御する方法を実施する装置において、
−  第１インタフェースサービングノードＩＳＮａと、第２インタフェースサービングノードＩＳＮｂとの間にエンドツーエンドの論理的な接続が設けられており、
−  前記第１インタフェースサービングノードＩＳＮａは、第１ベアラインターワーキング機能ＢＩＷＦａ１〜ＢＩＷＦａｎに接続されており、および／または、
−  前記第２インタフェースサービングノードＩＳＮｂは、第２ベアラインターワーキング機能ＢＩＷＦｂ１〜ＢＩＷＦｂｍに接続されていることを特徴とする、
請求項６から８までのいずれか１項に記載の、通信ネットワークにおける接続を制御する方法を実施する装置。
【発明の詳細な説明】
【技術分野】
【０００１】
本発明は、通信ネットワークにおける接続、殊に少なくとも１つの第１通信端末装置と第２通信端末装置との間の接続を制御する方法に関する。さらに本発明は本発明の方法を実施する装置に関する。
【０００２】
通信ネットワークの構造と、このような通信ネットワークがしたがう原理とにより、通例、例えばこのような接続の制御に必要な接続の状態についての情報が、通信ネットワークに分散して設けられることになる。
【０００３】
例えば「時分割多重化方式」（Time Division Multiplex）、略してＴＤＭ方式にしたがって動作する典型的な通信ネットワークでは、階層的に構造化された目標アドレスが評価され、所望の接続が確立される。この際に国別局番（Landesvorwahlziffer）および市外局番（Ortsvorwahlziffer）から出発して、通信ネットワークの個々の交換ノード（Vermittlungsknoten）間の相応の接続がスイッチングされ、この際に１交換ノードでは通例、呼出番号の一部だけが処理される。例えば、部分的には上記の呼出番号の処理されていない部分だけがつぎの交換ノードに転送される。接続のスイッチングはすなわち階層的な原理にしたがうのである。
【０００４】
交換ノードはこの通信ネットワークにおいて実質的に独立して動作する。すなわちこの交換ノードによってつぎのような手段が設定され得るのであり、ここでこの手段は、場合によってはこの手段についての情報が、隣接する交換ノードには伝えられるが、端点には伝えられないような手段である。このことにより、接続の状態についての情報は、通信ネットワークに分散して存在することになる。したがって接続の全体的な観察は、通例できないか、またできたとして困難である。
【０００５】
接続の端点には上に挙げた理由からこの接続の状態についての包括的な情報はなく、殊にこの接続の別の端点についての情報はない。また端点において入力される命令によって、端点に直接隣接していない交換ノードに直接的な影響を及ぼすことができないことも多い。すなわちこのような通信ネットワークは、さらにつぎのような原理にしたがっているのである。つまり、接続の任意の各部分区画（Teilstueck）に端点から直接影響を及ぼすことはできず、できるのは間接的にだけであるという原理にしたがっているのである。
【０００６】
しかしながら多くの課題に対して、殊に接続の制御に対して、例えばつぎのようなことが必要である。すなわち、この接続の状態についての情報を任意の点で得るか、またはこの接続の部分区画にこの点から影響を及ぼし、これによってこの接続を制御することが必要である。この関連において殊に端点の役割が重要である。
【０００７】
ここでこの関連において接続とは、通信ネットワークの２点間だけの接続と理解するのでなく、複数の端点間の接続であると理解されたい。ここでは接続が別の接続に移行するケースも重要である。例としては、２つの通信端末装置間の接続を、二人または三人の参加者がいる会議接続（Konferenzschaltung）に切り換えることとおよびその逆などがあろう。別のケースは、「転送」（"Makeln"）または「ノック」（"Anklopfen"）という用語で公知の機能であり、ここでは第１の通信端末装置から選択的に第２または第３の通信端末装置への接続を確立することができる。この際に第１通信端末装置に接続されていない加入者は待ち位置にいる。第３の例は、いわゆる「セクレタリー機能」（Sekraeterinnen-Funktion）であり、ここでははじめに第１通信端末装置と第２通信端末装置との間、ならびに第１通信端末装置と第３通信端末装置との間に接続が設けられている。この結果、これらの設けられた２つの接続が、第２通信端末装置と第３通信端末装置との間の接続に移行するのである。
【０００８】
さらに技術的に異なる通信ネットワークを相互接続する際に問題が発生する。例えば、接続を構成する部分区画に作用を及ぼすことによって第１通信ネットワークにおいて接続を制御でき、これに対して第２通信ネットワークにおいてこの接続が全体としてみなされ、実質的に端点から制御される場合である。この第１通信ネットワークの例は、ＴＤＭ方式で動作する、すなわち電話での通話の典型的なスイッチングから導出された通信ネットワークである。このようなネットワークに対して「コネクションオリエンテッド形の通信ネットワーク」（verbindungsorentiertes Telekommunikationsnetz）なる用語が公知である。これに対して第２通信ネットワークの例は、「インターネットプロトコル」にしたがって動作する通信ネットワーク、すなわち典型的なデータ伝送から導出されたネットワークである。このようなデータネットワークに対して「パケット交換形通信ネットワーク」（paketvermittelndes Telekommunikationsnetz）なる用語も使用される。この関連において「リアルタイム転送プロトコル」（Real Time Transport Protocol）、略してＲＴＰプロトコルも言及に値する。
【０００９】
音声もデータストリームとしてみなすことができるため、ＴＤＭネットワークを介してデータが転送され、またＩＰネットワークを介して音声が転送される。技術的に異なる通信ネットワークが互いに交換したり、または相互接続されるのはこのためである。異種の通信ネットワークがこのように統合されることは、コンバージェンス「Konvergenz」という用語で公知である。
【００１０】
実質的にＴＤＭコンポーネントから構成されかつＩＰネットワークに相互接続される通信ネットワークは、例えば、「ベアラに依存しない呼制御」（Bearer Independent Call Control）に対する標準にしたがって動作し、また略してＢＩＣＣネットワークと称される。
【００１１】
個々の通信ネットワークがしたがう原理が異なることは、それらが相互接続される際に問題になる。技術的に包括してネットワークを共同作業させるために固有の機能が必要であるのはこのためである。これらの機能は「インターワーキング機能」とも称される。
【００１２】
例えばＩＴＵ文書Ｑ１９０１およびＱ１９０２に記載されている、パケットデータネットワークにおける音声サービスに対する公知のネットワークモデルでは、種々異なるネットワークの接合部に１つずつのインターワーキング機能が設けられており、これらによってネットワーク間でサービスチャネル（Nutzkanal）をスイッチングする。このインターワーキング機能は、たとえ２つのネットワークが技術的に同じ種類であり、技術的な理由からはインターワーキング機能が必要ではないと思われる場合またはサービスチャネルが複数のネットワークを越えて案内される場合であっても、各ネットワーク接合部に設けられる。これらのインターワーキング機能は、データ変換の際に遅延を発生することが多く、かなりの場合にデータが損失されてしまうのである。このマイナスの影響を回避するため、または十二分に抑圧するためには、このようなインターワーキング機能の実現に対して極めて大きな技術的コストが必要なのである。
【００１３】
したがって本発明の課題は、通信ネットワークにおける接続、例えば少なくとも１つの第１通信端末装置と第２通信端末装置との間の接続を制御する方法を提供し、ここでこの制御を簡単に行えるようにすることである。
【００１４】
これは冒頭に述べた形式の方法により、
−  プログラム可能な計算機にてこの接続のモデルを形成し、
−  この接続の状態に対応付けられた初期状態にこのモデルを設定し、
−  上記の通信ネットワークにおいてこの接続に関連して設定された第１手段を実行する際に、対応付けられた状態変化をモデルにおいて発生させ、
−  このモデルにおいて第２手段を設定し、
−  このモデルの振る舞いを用い第２手段に基づき、この通信ネットワークにおいてこの第２手段を設定するか、別の手段を設定するか、または手段を設定しないかを判定する。
【００１５】
本発明の方法では、２つの通信端末装置の間の接続の状態に関連する情報は、接続モデルにも直接存在する。これによって可能になるのは、例えば、通信ネットワークに設定すべきである手段を、前もって接続モデルに設定し、この接続モデルの振る舞いから別の経過の仕方を導出することである。この際にこの接続モデルに設定した手段によって、このモデルの状態も変わり得る。これに対して通信ネットワークにおける接続はこれによって影響を受けることはない。この接続モデルの特性により、設定した手段がこの接続にマイナスに影響しかねないことが示される場合、これは、例えば、この接続モデルにおいて元のように戻され、通信ネットワークにはまったく設定されないのである。
【００１６】
この関連において、この開示の枠内での第１手段と第２手段の区別は、順番を示すものではなく手段の分類に使用されることを指摘しておきたい。
【００１７】
設定すべき手段をテストするためにこのモデルを使用するのではなく、接続モデルに設定される手段から、別の経過の仕方を一般的に導出するために使用することも考えられ得る。この別の経過の仕方は必ずしも、通信ネットワークにおける手段になる必要もない。ここで有利であるのは、通信ネットワークにおける接続がこれによって影響を受けないままであることである。
【００１８】
別の利点は、接続モデルの振る舞いが比較的迅速に評価できることである。それはこのために、種々異なるモジュールおよびメモリ領域にあるこの接続に関連する情報を直接評価する必要がないからである。これらの情報はすでにこの接続モデルにあるのである。このような経過の仕方は、これらの情報が分散された形でだけこの通信ネットワークに存在する場合であっても殊に有利である。この際に直接的な評価は、この通信ネットワークにおいて個々に分散されたモジュール間での大量のデータトラフィックに結び付くことにもなり、これを有利にも回避できるのである。
【００１９】
本発明の方法では接続の制御はさらにつぎような手段を含むことができる。すなわち、接続のサービスチャネル、接続のシグナリングチャネル、またはこの双方のうちのいずれかに作用を及ぼす手段を含むことができる。手段およびこの手段に関連するネットワークエレメントは、通信ネットワークが動作する原理と、使用する技術とに大きく依存する。したがってサービスチャネルおよびシグナリングチャネルとの関連付けは必須ではない。
【００２０】
本発明の課題は、本発明の方法のつぎの変形形態によっても解決され、ここでは、
−  第１通信ネットワークにおいて２つの端点について、接続の所定の状態を得るための手段の第１集合が設定されており、
−  第２通信ネットワークにおいて２つの端点について、上記の接続の同じ状態を得るための手段の第２集合が設定されており、
−  プログラム可能な計算機において第２通信ネットワークのこの接続のモデルを形成し、
−  この接続の状態に対応付けられた初期状態にこのモデルを設定し、
−  上記の第１および第２通信ネットワークにおいてこの接続に関連して設定される手段を実行する際に、対応付けられた状態変化をモデルにおいて発生させ、
−  第１または第２通信ネットワークの第２手段をモデルにおいて設定し、
−  モデルの振る舞いを用い第２手段に基づき、第１および／または第２通信ネットワークにおいて手段を導出し、場合によってはこの手段を設定する。
【００２１】
相異なる通信ネットワークは必ずしも同じ原理にしたがって動作しているのではなく、例えば、接続を行うためには、個々の通信ネットワークにおいて種々異なる手段が必要である。これはたとえ端点についての結果が実質的に同じ場合でもそうである。したがってここで取り上げる実施例において通信端末装置のユーザにとってつぎのことは通例識別できない。すなわちどのような内部状態およびスイッチング手段が、接続に結び付いているのか、また通信端末装置が接続されている通信ネットワークがどのように動作するかを識別できないのである。
【００２２】
相異なる通信ネットワークを相互接続することにより、例えば、接続の端点についての振る舞いを変えずにそのままにしておくために固有の事前対策が必要である。これは、例えば、上記の相異なる通信ネットワークにおいてそのため種々異なる手段が必須でなる場合であっても必要である。
【００２３】
本発明ではこの問題は殊に有利に解決される。それはここでは第１または第２通信ネットワークの第２の手段が接続モデルにおいて設定され、接続モデルの振る舞いを用いこの手段に基づいて、第２の手段を第１および／または第２通信ネットワークにおいて設定するか否かが判定されるからである。
【００２４】
ここで有利であるのは、
−  接続モデルに設定される第２手段が、この接続の部分区画 に関連づけられている場合、
−  接続モデルの振る舞いから上記の手段に基づいて、この接続の１つまたは２つの端点に関連する手段がこの通信ネットワークに設定される場合である。
【００２５】
これにより、ＴＤＭネットワークを構成する際に周知である、通信ネットワークにおける接続の部分区画に関連づけられている見方（Sichtweise）を、主たる注意が接続全体およびその端点に置かれる観察の仕方に対応付けることができる。
【００２６】
ここで有利であるのは、さらに、
−  接続モデルに設定される第２手段が、この接続の１つの端点または２つの端点に関連づけられる場合、および
−  接続モデルの振る舞いから、この手段に基づいて、この接続の部分区画に関連づけられる手段が、通信ネットワークにおいて設定される場合である。
【００２７】
この変形実施形態により、この接続の１端点に関連づけられている手段が、この接続の部分区画に作用を及ぼす手段に対応付けられる。ここでは例えばパケット交換される通例のデータネットワークのつぎのような振る舞い、すなわち接続の端点に大きな作用を及ぼし得る振る舞いが、例えば、接続の部分区画に作用を及ぼすことによって２つの通信端末装置間の接続を制御することができる典型的なＴＤＭネットワークの原理に対応付けられるのである。
【００２８】
本発明の殊に有利な変形実施形態は、つぎのような構成において得られ、ここでは
−  接続モデルを、オブジェクトとそのリンク（Verbindung）によって構成し、
−  第１手段を実行する際、プログラム可能な計算機において、対応付けられたオブジェクトを形成するかまたは消去し、および／または
−  第１手段を実行する際、対応付けられた複数のオブジェクトをリンクするか、または互いに切断し、および／または
−  第１手段を実行する際、モデルに使用され対応付けられたパラメタを変化させる。
【００２９】
通例はオブジェクトの形成と同時に、このオブジェクトに使用されるパラメタも初期化する。同じことは当然のことながら複数のオブジェクトのリンクにも当てはまり、ここでこれはこの接続にパラメタが対応付けられている場合である。通信ネットワークにおいても、また接続モデルにおいても初期化および変更の実行によってつぎのことが保証される。すなわち、この接続モデルの構造およびそこに使用されるパラメタの値が、通信ネットワークにおける接続の状態を反映することが保証されるのである。当然のことながらオブジェクトおよびそのリンクはここでも消去可能であり、この消去が行われるの、これが設けられており、かつ対応する手段が通信ネットワークに設定されている場合である。
【００３０】
オブジェクト指向の解決アプローチは殊に有利である。それは、得られたモデルについての概観を比較的簡単に維持できるからである。さらに拡張および変更を比較的便利に実行することも可能である。
【００３１】
接続モデルとして、プログラム可能な計算機に状態／刺激（Anreiz）テーブルを形成する場合も有利である。オブジェクト指向のアプローチの他に、接続モデルに発生する状態よびトランザクションを状態／刺激行列の形態で表すことも考えられ得る。トランザクションの比較的高速な評価は有利である。
【００３２】
有利な変形実施形態はさらにつぎの場合に得られる。すなわち、
−  オブジェクトとして送信チャネルのモデルが設けられている場合、および／または
−  オブジェクトとして受信チャネルのモデルが設けられている場合、および／または
−  オブジェクトとしてスイッチングエレメントのモデルが設けられており、これによって送信チャネルへの受信チャネルの接続および切断またはその逆が行われる場合、および／または、
−  オブジェクトとして信号発生器のモデルが設けられ、このオブジェクトの送信チャネルが、別のオブジェクトの受信チャネルに接続される場合、および／または
−  オブジェクトとして信号受信器のモデルが設けられ、このオブジェクトの受信チャネルが、別のオブジェクトの送信チャネルに接続されている場合、および／または
−  オブジェクトとして結合形信号ソース／シンク（eine kombinerte Signalquelle/senke）のモデルが設けられており、この結合形信号ソース／シンクの送信チャネルが、別のオブジェクトの受信チャネルに接続されており、および／またはこの結合形信号ソース／シンクの受信チャネルが、別のオブジェクトの送信チャネルに接続されている場合、および／または、
−  オブジェクトとして変換エレメント（Konvertierungselement）が設けられており、これによって通信端末装置のアドレスが、１アドレス形式から別のアドレス形式に変換される場合に得られるのである。
【００３３】
送信および受信チャネルは、ないしは結合形送信／受信チャネルも共に通信ネットワークにおける典型的な構成部分である。同じことが信号発生器および信号受信器についても当てはまる。
【００３４】
信号発生器の例は、例えばトーン発生器であり、これは呼出音の出力に有利である。しかしながら任意の別の信号源が本発明に含まれ、すなわち例えば交換局における自動アナウンス（automatische Ansage）も含まれる。
【００３５】
信号受信器とは、例えば、信号を"Dual Tone Multi Frequency Standard"、略してＤＴＭＦ規格にしたがって評価することのできるトーン受信器のことである。しかしながら信号発生器と同様に本発明にはトーンを処理する装置だけが含まれるのではなく、例えば音声処理システムも含まれる。
【００３６】
結合形信号ソース／シンクの典型的な例は、通例マイクロフォンもスピーカも共に含む通信端末装置である。
【００３７】
通信ネットワークに対して、個々のユニットを接続し切断することのできるスイッチングエレメントも典型的である。例えば、これによってトーン発生器の送信チャネルと、通信端末装置の受信チャネルとを接続して、空いているまたは占有されている線路をシグナリングすることができる。つぎに接続を行った後、この通信端末装置の受信チャネルは、トーン発生器から、接続されている通信端末装置の送信チャネルに切り換えられる。
【００３８】
通信端末装置のアドレスを、１アドレス形式から別のアドレス形式に変換する変換エレメントを適用することも考えられる。これが殊に必要であるのは、１通信ネットワークにおいて種々異なるアドレス形式が使用される場合、ないしは相異なるアドレス形式が適用される種々異なる通信ネットワークが相互接続される場合である。
【００３９】
殊に有利な変形実施形態は、つぎのような構成によって実現され、ここでは
−  通信ネットワークとしてベアラに依存しない呼制御ネットワークが設けられており、
−  ゲートウェイサービングノードの機能が、例えば、ゲートウェイベアラインターワーキング機能に関連する構成部分（Anteil）が、このモデルに組み込まれており、および／または
−  インタフェースサービングノードの機能が、このモデルに組み込まれており、および／または
−  ベアラインターワーキング機能がこのモデルに組み込まれており、および／または
−  ゲートウェイベアラインターワーキング機能がこのモデルに組み込まれている。
【００４０】
接続の部分区画に作用を及ぼすことにより、通信ネットワークにおける接続が決定的に制御される、典型的なＴＤＭネットワークの動作に対して周知である見方は、殊に例えばベアラに依存しない呼制御ネットワークの規格化において、種々異なる多数のネットワークエレメントの仕様に結び付いている。本発明の方法により、これらのエレメントを１つのモデルに組み込むことが可能になり、ひいてその機能を通信ネットワークにおける１つまたは複数の点に集束することができる。
【００４１】
本発明の課題は、さらに冒頭に述べた形式の方法によって解決され、ここで通信ネットワークは、技術的に異なるサブネットワークから構成されており、サブネットワークに対して例えばベアラに依存しない呼制御ネットワークが設けられており、また
−  ゲートウェイサービングノードの機能、例えば、ゲートウェイベアラインターワーキング機能に基づく構成部分は、インタフェースサービングノードの機能に組み込まれる。
【００４２】
例えば「ベアラに依存しない呼制御」（Bearer Independent Call Control）ネットワーク、略してＢＩＣＣネットワークにて分散されたゲートウェイサービスノードは、例えばゲートウェイベアラインターワーキング機能に関して、インタフェースサービスノード、すなわちこの接続の端点に移動される。これにより、従来技術による装置では必要であった資源が節約される。このようにして、例えば、接続の故障に対する一層高い安全性と、この通信ネットワークによるデータのより良好なスループット時間とを実現することができるのである。
【００４３】
ここで有利であるのは、
−  サービスチャネルスイッチング（Nutzkanalvermittlung）が、第１ベアラインターワーキング機能および／または第２ベアラインターワーキング機能を介して導かれる場合である。
【００４４】
本発明のこの構成では、別のゲートウェイベアラインターワーキング機能が必須ではなく、したがって従来技術の場合のように何回もデータ変換が行われることがない。場合によってさらに１つのベアラインターワーキング機能を節約することができ、これは相応する通信端末装置が、直接、すなわちインターワーキング機能なしにこの通信ネットワークに接続できる場合である。データ変換の低減も同様に、殊に接続の故障に対する一層高い安全性と一層良好なデータスループット時間とに結び付く。
【００４５】
本発明の殊に有利な実施形態は、つぎの方法によっても得られ、
−  ゲートウェイサービングノードの機能、例えばゲートウェイベアラインターワーキング機能に関連する構成部分、および／または
−  インタフェースサービングノードの機能、および／または
−  ベアラインターワーキング機能、および／または
−  ゲートウェイベアラインターワーキング機能が、通信ネットワークにおけるモデルに対応付けられる。
【００４６】
種々異なる多数のネットワークエレメントは、これによって、接続のモデルに組み込まれ、場合によって節約することができる。したがってそれらの機能は、通信ネットワークにおける１つまたは複数の点に集束される。ここでも例えば、接続の故障に対して高い安全性と、この通信ネットワークによるデータの一層良好なスループット時間とが実現される。
【００４７】
この接続モデルにもすでに述べた、考えられる実施形態とそれらの利点とが当てはまる。ここでは接続モデルは、オブジェクトおよびそのリンクによって形成することも、また状態／刺激テーブルによって形成することもできる。
【００４８】
本発明の課題は、本発明の方法を実施するために設けられた装置によっても解決され、
−  この装置は、プログラム可能な計算機を含んでおり、ここでこの計算機は、通信ネットワークにおける接続のモデルを記憶および管理するのに有利な計算機であり、
−  モデルにおいて状態変化を発生させる手段が設けられており、ここで上記の状態変化は、この通信ネットワークに設定される手段に対応付けられており、
−  モデルにおいて第２手段を設定する手段が設けられており、
−  上記の装置は、第２手段に基づいてこのモデルの振る舞いを評価する手段と、通信ネットワークにおいて第２手段を設定するか、別の手段を設定するか、手段を設定しないかを判定する手段とを含んでおり、
−  モデルから出発して、手段を通信ネットワークにおいて設定する手段が設けられている。
【００４９】
ここで有利であるのは、この装置が部分的に既知でありかつ検査されたコンポーネントを含むことである。その他の点では、本発明の方法において挙げた利点が本発明の装置にも同様に当てはまる。
【００５０】
最後に本発明の課題は、本発明の方法を実施するために構成されたつぎの装置によっても解決され、ここでは
−  第１インタフェースサービングノードと第２インタフェースサービングノードとの間にエンドツーエンドな論理的な接続が設けられており、
−  第１インタフェースサービングノードは、第１ベアラインターワーキング機能に接続されており、および／または
−  第２インタフェースサービングノードは、第２ベアラインターワーキング機能に接続されている。
【００５１】
従来技術による解決手段とは異なり、この変形実施形態では、インタフェースサービングノード間にエンドツーエンドの論理的な接続が設けられている。ゲートウェイサービングノードに対応付けられるゲートウェイベアラインターワーキング機能はここでは通例もはや不要である。それはその機能はインタフェースサービングノードに組み込まれているからである。したがって場合によってはゲートウェイサービングノードをそもそも省略することができる。これによってネットワークエレメントの比較的少なくかつ技術的に比較的簡単な構造を有するネットワークコンフィギュレーションが得られるのである。
【００５２】
本発明を図面に示した実施例に基づいて詳しく説明する。ここでこの実施例は、例示的な接続モデルに関連し、このモデルは、互いにリンクされた複数のオブジェクトからなる。さらに本発明の利点をＢＩＣＣネットワークのネットワークコンフィギュレーションに基づいて説明する。
【００５３】
図１は、初期状態にある例示的な接続モデルを示しており、
図２は、空きの印を通信端末装置に設定する際の例示的な接続モデルを示しており、
図３は、通信端末装置の第１呼出番号を転送する際の例示的な接続モデルを示しており、
図４は、通信ネットワークにおいて分散された接続モデル間でデータを転送する例示的な装置を示しており、
図５は、呼出トーンを通信端末装置に設定する際の例示的な接続モデルを示しており、
図６は、異種の通信ネットワークを介して２つの通信端末装置を接続する例示的な装置を示しており、
図７は、技術的に異なる複数の通信ネットワークを介して２つの通信端末装置間の接続が確立される、従来技術によるネットワークコンフィギュレーションを示しており、
図８は、技術的に異なる複数の通信ネットワークを介して２つの通信端末装置間の接続が確立される、本発明によるネットワークコンフィギュレーションを示している。
【００５４】
図１には初期状態にある例示的な接続モデルが示されており、このモデルには、第１結合形信号ソース／シンクＳＲ１と、第２結合形信号ソース／シンクＳＲ２と、第１スイッチエレメントＳＷ１と、第２スイッチエレメントＳＷ２と、第１変換エレメントＣＯＮＶ１と、第２変換エレメントＣＯＮＶ２と、トーン発生器ＴＯＧと、信号受信器ＣＲとが含まれている。
【００５５】
図示の実施例において第１結合形信号ソース／シンクＳＲ１も第２結合形信号ソース／シンクＳＲ２も共に通信ネットワークにおける接続の端点であり、同じ構造を有することが特徴である。これらは１つずつの送信チャネルＳＣＨと、受信チャネルＲＣＨと、付加的なデータ領域ＳＲ＿ＤＡＴＡとからなる。
【００５６】
トーン発生器ＴＯＧには、送信チャネルＳＣＨと、付加的なデータ領域ＴＯＧ＿ＤＡＴＡとが含まれる。これと同じく信号受信器ＣＲには、受信チャネルＲＣＨと、同様に付加的なデータ領域ＣＲ＿ＤＡＴＡとが含まれる。
【００５７】
図示のオブジェクトにおける送信チャネルＳＣＨはすべて１つずつの入力側レジストＳＣＨ＿ＩＮと出力側レジスタＳＣＨ＿ＯＵＴとからなる。これと同様に受信チャネルＲＣＨは、入力側レジスタＲＣＨ＿ＩＮと出力側レジスタＲＣＨ＿ＯＵＴとからなる。
【００５８】
送信チャネルの入力側レジスタＳＣＨ＿ＩＮに対してこの実施例では、送信準備完了ＳＲｅａｄｙ，トーン情報Ｔｏｎｅおよび停止状態Ｉｄｌｅの値が可能である。受信チャネルの入力側レジスタＲＣＨ＿ＩＮに対して、受信準備完了Ｒｒｅａｄｙおよび停止状態Ｉｄｌｅの値が可能である。送信チャネルの出力側レジスタＳＣＨ＿ＯＵＴに対して同様に、受信準備完了ＲＲｅａｄｙおよび停止状態Ｉｄｌｅの値が設けられており、また受信チャネルの出力側レジスタＲＣＨ＿ＯＵＴでは、送信準備完了ＳＲｅａｄｙ，トーン情報Ｔｏｎｅおよび停止状態Ｉｄｌｅの値がこの実施例において設けられている。
【００５９】
この実施例において出力側レジスタの値の変化は識別され、この接続モデルの振る舞いの評価に使用される。場合によってはここから、通信ネットワークに設定される別の手段が導出される。ここでは例えばオブジェクトに関連してテーブルを設定することができ、このテーブルでは出力側レジスタの変化と、この通信ネットワークに設定するべき手段とが対応付けられる。対応付けがない場合には手段は設定されない。多重な対応付け、ならびに種々異なる通信ネットワークに関連する対応付けも考えられる。
【００６０】
図示の実施例において第１変換エレメントＣＯＮＶ１も、第２変換エレメントＣＯＮＶ２も共に第１アドレスフィールドＡＤＤＲ１と第２アドレスフィールドＡＤＤＲ２とからなる。しかしながら複数のアドレスフィールドも、ないしは付加的なデータフィールドも考えられる。
【００６１】
第１スイッチエレメントＳＷ１および第２スイッチエレメントＳＷ２は同じ構造を有しており、３つの端子からなり、ここで第１端子は、第２端子または第３端子のいずれかに接続可能である。付加的にはさらに１つのスイッチ状態が可能であり、ここでは端子は別の端子に接続されない。図示の実施例ではさらに、端子が入力端子であるのか、または出力端子であるのを考慮しなかった。当然のことながら図に示したのとは異なる構造形態も考えられる。またデータフィールドがないことを考慮して、スイッチエレメントの図は単に概略的なものにみなすべきである。スイッチエレメントを全く省略して、オブジェクト間のフレキシブルで直接のリンクによって置き換えることもできる。
【００６２】
個々のオブジェクトは以下のように互いリンク可能である。すなわち、
第１結合形信号ソース／シンクＳＲ１の送信チャネルＳＣＨは、第１スイッチエレメントＳＷ１の第１端子に接続されており、第１結合形信号ソース／シンクＳＲ１の受信チャネルＲＣＨは第２スイッチエレメントＳＷ２の第１端子に接続されている。これと同様に第１スイッチエレメントＳＷ１の第２端子は、第２結合形信号ソース／シンクＳＲ２の受信チャネルＲＣＨに接続されており、第２スイッチエレメントＳＷ２の第２端子は、第２結合形信号ソース／シンクＳＲ２の送信チャネルＳＣＨに接続されている。
【００６３】
さらに第１スイッチエレメントＳＷ１の第３端子と、信号受信器ＣＲの受信チャネルＲＣＨとの間に接続が設けられており、第２スイッチエレメントＳＷ２の第３端子と、トーン発生器ＴＯＧの送信チャネルＳＣＨとの間に接続が設けられている。
【００６４】
第１スイッチエレメントＳＷ１においても、また第２スイッチエレメントＳＷ２においても共に第１端子と第２端子とがそれぞれ接続されているため、第１結合形信号ソース／シンクＳＲ１と第２結合形信号ソース／シンクＳＲ２との間に双方向の接続が設けられている。
【００６５】
付加的には第１結合形信号ソース／シンクＳＲ１と第１変換エレメントＣＯＮＶ１とが、また第２結合形信号ソース／シンクＳＲ２と第２変換エレメントＣＯＮＶ２とが接続されている。
【００６６】
図６には異種の通信ネットワークを介して２つの通信端末装置を接続する装置が例示的に示されている。
【００６７】
この装置には、第１通信端末装置ＴＫＥ１および第２通信端末装置ＴＫＥ２と、第１通信ネットワークＮＥＴ１および第２通信ネットワークＮＥＴ２と、第１インタフェースモジュールＩＮＴ１および第２インタフェースモジュールＩＮＴ２とが含まれている。第１インタフェースモジュールＩＮＴ１および第２インタフェースモジュールＩＮＴ２は同じ構造を有しており、第１端子ＣＯＮ１および第２端子ＣＯＮ２を１つずつ有している。インタフェースモジュールは、別のユニット、例えばスイッチング技術のユニットを含むことも可能であり、これは第１通信ネットワークＮＥＴ１にも第２通信ネットワークＮＥＴ２にも共に関連し得る。
【００６８】
第１通信ネットワークＮＥＴ１は、図示の実施例において「リアルタイムトランスポートプロトコル」（Real Time Transport Protocol）、略してＲＴＰプロトコルにしたがって動作する。しかしながら別の標準、例えば、パケット式データ伝送の標準も考えられる。
【００６９】
第２通信ネットワークＮＥＴ２は、図示の装置において「時分割多重化方式」（Time Division Multiplex Verfahren）、略してＴＤＭ方式で動作し、ここでも択一的な方式が考えられる。第２通信ネットワークＮＥＴ２は、単に仮想的なネットワークとして存在することも可能である。
【００７０】
個々のモジュールは以下のように互いに接続されている。すなわち、
第１通信端末装置ＴＫＥ１は、第１通信ネットワークＮＥＴ１を介して第１インタフェースモジュールＩＮＴ１の第１端子ＣＯＮ１に接続されている。これと同様に第２通信端末装置ＴＫＥ２は、第１通信ネットワークＮＥＴ１を介して第２インタフェースモジュールＩＮＴ２の第１端子ＣＯＮ１に接続されている。付加的には第１インタフェースモジュールＩＮＴ１の第２端子ＣＯＮ２と、第２インタフェースモジュールＩＮＴ２の第２端子ＣＯＮ２との間に、第２通信ネットワークＮＥＴ２を介する接続が設けられている。第１通信端末装置ＴＫＥ１と第２通信端末装置ＴＫＥ２とは、第１通信ネットワークＮＥＴ１を介して直接接続されてもいる。
【００７１】
この図では仮想的なオブジェクトは点線で示されており、物理的に存在するものは実線で示されている。つまりこの例では第２通信ネットワークＮＥＴ２は仮想的であると仮定されている。
【００７２】
この例に対する別の仮定は、第１通信端末装置ＴＫＥ１と第２通信端末装置ＴＫＥ２との間の直接の接続において有効データが交換され、残りの接続でシグナリングデータが交換されることである。しかしながらこの仮定は、本発明の方法に対して必須というわけではない。
【００７３】
図１〜６に示した例の動作は、以下に示す通りである。ここで分かりやすくするため、考えられる実際の実現よりも簡略化されている。
【００７４】
第１通信端末装置ＴＫＥ１および第２通信端末装置ＴＫＥ２は、第１通信ネットワークＮＥＴ１に接続されており、これはＲＴＰ標準にしたがって動作する。このネットワークで重要であるのは、このネットワーク内の接続が全体的に観察され、また端点から制御されることである。第２通信ネットワークＮＥＴ２はこれとは逆であり、これはＴＤＭ方式ベースである。このネットワークにおいて接続は、通例複数の部分区画からなり、ここでこれらの部分区画に互いに別個に作用を及ぼすことができる。このような作用は、一般的に端点からだけ行われるのではない。第１通信端末装置ＴＫＥ１と第２通信端末装置ＴＫＥ２との間ではシグナリングチャネルの接続が、別の原理で動作する通信ネットワークを介して行われるため、第１インタフェースモジュールＩＮＴ１および第２インタフェースモジュールＩＮＴ２が設けられている。これらのモジュールによって、異種の通信ネットワークの相互接続が可能になる。この機能は、「インターワーキング」（Interworking）という用語でも公知である。サービスチャネルは、例えば、パケットデータネットワークに対して公知の方式にしたがって接続される。
【００７５】
この実施例では第１インタフェースモジュールＩＮＴ１においても、また第２インタフェースモジュールＩＮＴ２においても共に１つずつの接続モデルが形成される。このモデルは、第１端子ＣＯＮ１および第２端子ＣＯＮ２を介し、それらに接続された通信ネットワークから信号を受信しまたこれらに送信することができる。この接続モデルの目的は、第１通信端末装置ＴＫＥ１と第２端末装置ＴＫＥ２との間に仮想的な接続を確立することであり、ここでこの接続は、ＲＴＰ標準にしたがって動作する同種の通信ネットワークにおける接続が動作するのと同じように動作する。簡単にするため、２つの通信端末装置間で接続を確立する際の、第１インタフェースモジュールＩＮＴ１における接続モデルの形成だけについて考察する。ここでこの接続モデルは図６に示されていないことに注意されたい。
【００７６】
第１通信端末装置ＴＫＥ１と第２通信端末装置ＴＫＥ２との間で接続の確立を要求する際には、このことは、第１通信ネットワークＮＥＴ１から、第１インタフェースモジュールＩＮＴ１の第１端子ＣＯＮ１を介して第１インタフェースモジュールＩＮＴ１にシグナリングされ、そこから第２通信ネットワークＮＥＴ２に転送される。第１インタフェースモジュールＩＮＴ１ではこのために、転送すべき情報の変換を行うことができる。第２通信ネットワークＮＥＴ２では、ネットワークロジック（Netzlogik）にしたがって資源が確保され、これらは接続モデルにおいても対応付けられる。したがって第１インタフェースモジュールＩＮＴ１では図１の接続モデルが形成されるのである。しかしながら図１とは異なり、第１スイッチエレメントＳＷ１は、初期状態において第１結合形信号ソース／シンクＳＲ１の送信チャネルＳＣＨと信号受信器ＣＲとを接続し、また第２スイッチエレメントＳＷ２は、第１結合形信号ソース／シンクＳＲ１の受信チャネルＲＣＨと、トーン発生器ＴＯＧとを接続する。１インタフェースにおいて接続モデルを構成することの他に、複数のインタフェースに構成することも考えられ、この際には目下の状態に無条件に必要なオブジェクトだけが形成される。
【００７７】
付加的には第１変換エレメントＣＯＮＶ１の第１アドレスフィールドＡＤＤＲ１に第１通信端末装置ＴＫＥ１のアドレスが入力される。純粋なアドレス情報の他に第１通信端末装置ＴＫＥ１についての別のデータも入力可能であり、これらは、例えば第１通信端末装置ＴＫＥ１の動作および構造についてのデータである。
【００７８】
ここで扱う実施例では、第１通信端末装置ＴＫＥ１によってダイアルトーンを形成するものとする。典型的なＴＤＭネットワークでは一般にこのようなことはない。それはこのダイアルトーンが交換局で形成され、通信端末装置に転送されるからである。ＲＴＰ標準にしたがって動作する通信ネットワークにおいて不要な資源が確保されないようにするため、ここではダイアルトーンそのものの代わりにダイアルトーンについての情報だけを通信端末装置に転送する。この情報は、例えば音の高さ、繰り返しレート（Wiederholrate）およびスイッチオン比（Einschaltverhaeltnis）を含むことができる。しかしながら当然、ＲＴＰネットワークにおいてもデータストリームとしてダイアルトーンを伝送することも考えられる。
【００７９】
ダイアルトーンを形成するためのトーン情報Ｔｏｎｅは、トーン発生器ＴＯＧの送信チャネルの入力側レジスタＳＣＨ＿ＩＮに入力される。つぎのステップとしてこれらのデータは、第１結合形信号ソース／シンクＳＲ１の受信チャネルの出力側レジスタＲＣＨ＿ＯＵＴに伝送される。これと同様に受信準備完了Ｒｒｅａｄｙなる値が、第１結合形信号ソース／シンクＳＲ１の受信チャネルの入力側レジスタＲＣＨ＿ＩＮに入力され、トーン発生器ＴＯＧに転送される。そこではこの値が、送信チャネルの出力側レジスタＳＣＨ＿ＯＵＴに伝送される。この装置の目下の状態は図２からもわかる。
【００８０】
図２に付加的に示されているのは、第１結合形信号ソース／シンクＳＲ１の付加的なデータ領域ＳＲ＿ＤＡＴＡ、第２結合形信号ソース／シンクＳＲ２の付加的なデータ領域ＳＲ＿ＤＡＴＡ、信号受信器ＣＲの付加的なデータ領域ＣＲ＿ＤＡＴＡおよびトーン発生器ＴＯＧの付加的なデータ領域ＴＯＧ＿ＤＡＴＡに情報が入力されることであり、ここでこの情報は、この接続モデルにおけるオブジェクトによって表される物理的なオブジェクトの特性についての情報Ｐｒｏｐｅｒｔｙである。これは例えば初期化の際に行われる。
【００８１】
さらに状態変化が行われた際に変わらなかったすべてのデータフィールドは、図２では空で表されている。このことは図３，４および５に対しても当てはまる。しかしながら該当するフィールドには当然のことながらデータが含まれ得る。
【００８２】
これでこの接続モデルにおけるダイアルトーンの設定が終了した。この接続モデルの振る舞いを評価するため、入力信号が接続モデルで処理される（abarbeiten）各サイクルの後、各オブジェクトの出力側レジスタを観察する。それらの値が評価サイクルのはじめと変わっていた場合、場合によって相応するメッセージがこの通信ネットワークのユニットに送信される。値が変わらなかった場合、メッセージは送信されない。
【００８３】
この実施例では第１結合形信号ソース／シンクＳＲ１の受信チャネルの出力側レジスタＲＣＨ＿ＯＵＴが変化すると、第１通信ネットワークＮＥＴ１の第１通信端末装置ＴＫＥ１にシグナリングして、ダイアルトーンが例えば、受話器のスピーカに形成されるようにする。つまりこれは、接続モデルの振る舞いに基づいて別の手段から導出される手段であり、ここでこの別の手段とは、すなわち第１通信ネットワークＮＥＴ１から第１インタフェースモジュールＩＮＴ１への、ダイアルトーンを形成せよというシグナリングである。相応するメッセージを第１通信端末装置ＴＫＥ１に送信できるようにするため、そのアドレスを第１変換エレメントＣＯＮＶ１の第１データフィールドＡＤＤＲ１から読み出す。これに対してトーン発生器ＴＯＧの受信チャネルの出力側レジスタＲＣＨ＿ＯＵＴの変化には、第２通信ネットワークＮＥＴ２へのシグナルは対応付けられていない。
【００８４】
第１通信端末装置ＴＫＥ１のユーザから数字フィールドを用いて第２通信端末装置ＴＫＥ２の呼出番号がキー入力される。これは第１通信ネットワークＮＥＴ１を介して第１インタフェースモジュールＩＮＴ１に送信され、この接続モデルに供給される。これに加えて第１結合形信号ソース／シンクＳＲ１の送信チャネルの入力側レジスタＳＣＨ＿ＩＮに値送信準備完了Ｓｒｅａｄｙが入力され、信号受信器ＣＲの受信チャネルの出力側レジスタＲＣＨ＿ＯＵＴに送信される。これと同様に信号受信器ＣＲの受信チャネルの入力側レジスタＲＣＨ＿ＩＮに値受信準備完了Ｒｒｅａｄｙが入力され、第１結合形信号ソース／シンクＳＲ１の送信チャネルの出力側レジスタＳＣＨ＿ＯＵＴに送信される。
【００８５】
この状態変化には、端子が別の端子に接続されていない第３のスイッチ状態に第２スイッチエレメントを切り換えることが対応付けられる。つまり、このことによってトーン発生器ＴＯＧがもはや第１結合形信号ソース／シンクＳＲ１に接続されないことになるのである。したがって第１結合形信号ソース／シンクＳＲ１の受信チャネルの出力側レジスタＲＣＨ＿ＯＵＴに停止状態Ｉｄｌｅなる値が入力される。この実施例では、第１結合形信号ソース／シンクＳＲ１の受信チャネルの出力側レジスタＲＣＨ＿ＯＵＴにおける変化により、第１通信ネットワークＮＥＴ１における通信端末装置ＴＫＥ１にシグナリングされて、空の印が取り消される。この接続モデルの目下の状態は図３に示されている。
【００８６】
転送されるさらなる数字はすべて順番にトランスペアレントに接続モデルを通って、第２通信ネットワークＮＥＴ２に転送される。接続モデルの目下の状態を評価して、この接続モデルの状態変化を発生させずにどのように通過させて転送すべきかを決定することも考えられる。呼出番号を完全に入力し終えた後、第１通信端末装置ＴＫＥ１と第２通信端末装置ＴＫＥ２との間で接続が行われる。接続モデルにおいても第１スイッチエレメントＳＷ１と第２スイッチエレメントＳＷ２とが設定されて、第１結合形信号ソース／シンクＳＲ１の送信チャネルＳＣＨと、第２結合形信号ソース／シンクＳＲ２の受信チャネルＲＣＨとが接続され、また第１結合形信号ソース／シンクＳＲ１の受信チャネルＲＣＨと、第２結合形信号ソース／シンクＳＲ２の送信チャネルＳＣＨとが接続される。
【００８７】
この時点には第２インタフェースモジュールＩＮＴ２にも図１の第２接続モデルが形成され、ここでは第１スイッチエレメントＳＷ１が第３のスイッチ状態に設定される。すなわち、別のオブジェクトが第１結合形信号ソース／シンクＳＲ１にリンクされていないようにされる。これに対して第２スイッチエレメントＳＷ２によって、トーン発生器ＴＯＧと、第１結合形信号ソース／シンクＳＲ１とが接続される。
【００８８】
２つのインタフェースモジュールにおける２つの接続モデルの間ではメッセージが第２通信ネットワークＮＥＴ２を介して交換されるため、２つの接続モデルにより、第１通信端末装置ＴＫＥ１と第２通信端末装置ＴＫＥ２との間の接続の状態がそれぞれ反映される。ここで１通信ネットワークに分散された接続モデルの個々の構成部分間または接続モデルの種々異なるインスタンシエーション間でのメッセージ交換は、例えば、いわゆるトンネル方式（Tunnelverfahren）にしたがって行うことができる。
【００８９】
第２通信ネットワークＮＥＴ２から第２インタフェースモジュールＩＮＴ２の第２接続モデルに、呼出信号を第２通信端末装置ＴＫＥ２に設定すべきことがシグナリングされる。すでに説明した原理に依拠して第２接続モデルの振る舞いを評価する。この結果、第２通信端末装置ＴＥＬ２において呼出信号をオンにすべきことが、第１通信ネットワークＮＥＴ１を介してシグナリングされる。さらに第２インタフェースモジュールＩＮＴ２の第２接続モデルから第２通信ネットワークＮＥＴ２を介して、第１インタフェースモジュールＩＮＴ１の第１接続モデルに、相応するメッセージが転送される。
【００９０】
この過程は図４に示されており、ここでは接続モデルは第１インタフェースモジュールＩＮＴ１および第２インタフェースモジュールＩＮＴ２において最小限に縮小されている。第２インタフェースモジュールＩＮＴ２における第１信号ソース／シンクＳＲ１の受信チャネルの出力側レジスタＳＣＨ＿ＯＵＴから、第１インタフェースモジュールＩＮＴ１における第２結合形信号ソース／シンクＳＲ２の受信チャネルの入力側レジスタＲＣＨ＿ＩＮへのトーン情報Ｔｏｎｅの転送は、点線の矢印で示されている。
【００９１】
第１インタフェースモジュールＩＮＴ１の第１接続モデルでは、第２結合形信号ソース／シンクＳＲ２の送信チャネルの入力側レジスタＳＣＨ＿ＩＮにおいて、呼出信号に対するトーン情報Ｔｏｎｅが入力され、また第１結合形ソース／シンクＳＲ１の受信チャネルの出力側レジスタＲＣＨ＿ＩＮに転送される。接続モデルにおけるこの状態変化には、第１通信ネットワークＮＥＴ１を介する第１通信端末装置ＴＫＥ１へのトーン情報の送信が対応付けられている。この結果、呼出信号は、第１通信端末装置ＴＫＥ１においても、例えば受話器のスピーカを用いて形成される。
【００９２】
これに相応して第２通信端末装置ＴＫＥ２における受話器の取り上げも処理され、これによって第１インタフェースモジュールＩＮＴ１および第２インタフェースモジュールＩＮＴ２を用いて第１通信端末装置ＴＫＥ１と第２通信端末装置ＴＫＥ２との間の接続が行われる。この際に第２通信端末装置ＴＫＥ２のアドレスも第１インタフェースモジュールＩＮＴ１における第１接続モデルに転送され、そこで第２変換エレメントＣＯＮＶ２の第１アドレスフィールドＡＤＤＲ１に、また第１変換エレメントＣＯＮＶ１の第２アドレスフィールドＡＤＤＲ２に入力される。接続モデルのこの状態は図５に示されている。
【００９３】
上記の考察の仕方は当然のことながらサービスチャネルに対しても、またシグナリングチャネルに対しても共に同様に当てはまる。例えば説明したように、サービスチャネルはシグナリングチャネルとは別のパスを介して導くことも可能である。
【００９４】
本発明の方法は、例えば、第２通信ネットワークＮＥＴ２にある資源を利用できるという利点も有する。ここで通信ネットワークとは、例えばＴＤＭ方式で動作する通信ネットワークのことであり、場合によっていずにせよ設けられておりかつ検査済みのサービスないしはアルゴリズム、例えば、会議の接続、ノック、転送および類似のものを使用可能であり、ここでこれはたとえこのサービスが第１通信ネットワークＮＥＴ１で存在していなくても使用可能である。すなわち、第２通信ネットワークＮＥＴ２のコンポーネント、例えばスイッチングノードは、第１通信ネットワークＮＥＴ１に埋め込まれるのである。しかしながら第２通信ネットワークＮＥＴ２内ではこの埋め込みは、識別できないか、またはできてもわずかな程度である。すなわち第２通信ネットワークＮＥＴ２ではこのために変更が不要であるか、または必要であってもごくわずかである。したがって技術的に異なる通信ネットワークは、本発明の方法を利用することによって有利に相互接続可能である。
【００９５】
図７には、従来技術によるネットワークコンフィギュレーションが示されており、ここでは２つの通信端末装置間の接続が、技術的に異なる複数の通信ネットワークを越えて確立される。図に含まれる略語は、ベアラに依存しない呼制御ネットワーク、略してＢＩＣＣネットワークに対して規格化された表記であり、これらは規格ＩＴＵ−Ｔ  ＴＲＱ．２１４０に記載されている。この規格はインターネットで利用可能である。
【００９６】
図７には第１通信端末装置ＴＫＥａおよび第２通信端末装置ＴＫＥｂと、ＢＩＣＣ方式で動作する第１通信ネットワークＢＩＣａおよび第２通信ネットワークＢＩＣｂと、例えばインターネットプロトコルにしたがって動作する第３の通信ネットワークＩＰとが含まれている。さらにこの図には第１インタフェースサービングノードＩＳＮａおよび第２インタフェースサービングノードＩＳＮｂと、第１ゲートウェイサービングノードＧＳＮａおよび第２ゲートウェイサービングノードＧＳＮｂとが含まれている。
【００９７】
さらにこの図には第１ベアラインターワーキング機能ＢＩＷＦａ１〜ＢＩＷＦａｎおよび第２ベアラインターワーキング機能ＢＩＷＦｂ１〜ＢＩＷＦｂｍならびに第１ゲートウェイベアラインターワーキング機能Ｇ−ＢＩＷＦａおよび第２ゲートウェイベアラインターワーキング機能Ｇ−ＢＩＷＦｂが示されている。
【００９８】
個々のエレメントはつぎのように互いに接続されている。
【００９９】
第１通信端末装置ＴＫＥａは、第１ベアラインターワーキング機能ＢＩＷＦａ１を介して、第１通信ネットワークＢＩＣａに接続されている。これと同様に第２通信端末装置ＴＫＥｂは第２ベアラインターワーキング機能ＢＩＷＦｂ１を介して第２通信ネットワークＢＩＣｂに接続されている。残りの第１ベアラインターワーキング機能ＢＩＷＦａ２〜ＩＷＦａｎも同様に第１通信ネットワークＢＩＣａに接続されているが、これはシンボル的にしか示していない。同様に残りの第２ベアラインターワーキング機能ＢＩＷＦｂ２〜ＢＩＷＦｂｍも第２通信ネットワークＢＩＣｂに接続されており、これらもの同様にシンボル的にしか示していない。
【０１００】
ベアラインターワーキング機能ＢＩＷＦを介して通信端末装置ＴＫＥを通信ネットワークに接続することは必須ではない。この通信端末装置ＴＫＥと通信ネットワークが技術的に同種であり、互いに直接接続できる場合も当然考えられる。ベアラインターワーキング機能ＢＩＷＦはこの場合必須ではない。
【０１０１】
第１通信ネットワークＢＩＣａと第２通信ネットワークＢＩＣｂとの間にはさらに第１ゲートウェイベアラインターワーキング機能Ｇ−ＢＩＷＦａ、第３通信ネットワークＩＰおよび第２ゲートウェイベアラインターワーキング機能Ｇ−ＢＩＷＦｂを介する接続がある。
【０１０２】
第１インタフェースサービシングノードＩＳＮａから、第１ベアラインターワーキング機能ＢＩＷＦａ１〜ＢＩＷＦａｎの各々にｎ個の接続があり、また第２インタフェースサービシングノードＩＳＮｂから第２ベアラインターワーキング機能ＢＩＷＦｂ１〜ＢＩＷＦｂｍの各々にｍ個の接続がある。第１ゲートウェイサービングノードＧＳＮａは第１ゲートウェイベアラインターワーキング機能Ｇ−ＢＩＷＦａに、また第２ゲートウェイサービングノードＧＳＮｂは第２ゲートウェイベアラインターワーキング機能Ｇ−ＢＩＷＦｂに接続されている。
【０１０３】
付加的には第１インタフェースサービシングノードＩＳＮａから、第１ゲートウェイサービングノードＧＳＮａおよび第２ゲートウェイサービングノードＧＳＮｂを介し、第２インタフェースサービシングノードＩＳＢｂに至る点線の論理的な接続が示されている。
【０１０４】
図７に示した装置の動作は以下の通りである。
【０１０５】
ネットワーク境界ではベアラインターワーキング機能Ｇ−ＢＩＷＦにより、少なくとも通信端末装置ＴＫＥのアドレスが１通信ネットワークで使用される第１アドレス形式から、別の通信ネットワークで使用される第２アドレス形式に変換される。したがってベアラインターワーキング機能Ｇ−ＢＩＷＦの機能には、ダイナミックな「ネットワークアドレストランスレーション」（Networt Address Translation）（ＮＡＴ）または「ネットワークアドレスポートトランスレーション」（Network Address Port Translation）（ＮＡＰＴ）の機能が含まれている。このようなやり方ではつぎようにする必要がある。すなわち接続に関連するデータをＩＰネットワークに記憶しなければならないのである。ベアラインターワーキング機能Ｇ−ＢＩＷＦにエラーが発生すると、これを通過する接続が遮断されることになる。したがって故障に対して安全またはフォルトトレーラントであり、したがって技術的にコストのかかるコンポーネントが必要である。さらにベアラインターワーキング機能Ｇ−ＢＩＷＦによってデータ転送の際に遅延が発生し、また場合によって個々の通信ネットワーク間に狭隘個所が発生してしまうのである。
【０１０６】
これに対して本発明の方法では、ゲートウェイサービングノードＧＳＮの機能、例えば、ゲートウェイベアラインターワーキング機能Ｇ−ＢＩＷＦに関する構成部分が、インタフェースサービングノードＩＳＮに組み込まれる。したがってゲートウェイベアラインターワーキング機能Ｇ−ＢＩＷＦも、場合によってはゲートウェイサービングノードＧＳＮも共に省略可能である。この場合に有効情報は、入力側のベアラインターワーキング機能または第１ベアラインターワーキング機能ＢＩＷＦａ１を介して、第１端末装置ＴＫＥａから第１通信ネットワークＢＩＣａに導かれ、トランスペアレントに第２通信ネットワークＢＩＣｂに到達し、そこで出力側のベアラインターワーキング機能または第２ベアラインターワーキング機能ＢＩＷＦｂ１を介して第２通信端末装置ＴＫＥｂに転送される。このようにして従来技術によるコンフィギュレーションにおける上記の欠点が有利にも回避されるのである。
【０１０７】
本発明の例示的なネットワークコンフィギュレーションが図８に示されている。ここでは本発明に相応し、図７に示した装置から出発して、第１ゲートウェイサービングノードＧＳＮａおよび第２ゲートウェイサービングノードＧＳＮｂならびに第１ゲートウェイベアラインターワーキング機能Ｇ−ＢＩＷＦａおよび第２ゲートウェイベアラインターワーキング機能Ｇ−ＢＩＷＦｂを省略した。ここでは第１通信ネットワークＢＩＣａと第３通信ネットワークＩＰとが、また第３通信ネットワークＩＰと第２通信ネットワークＢＩＣｂとが共に直接、接続されている。これと同様にここでは第１インタフェースサービングノードＩＳＮａと第２インタフェースサービングノードＩＳＮｂとの間にも直接的な論理的接続が設けられている。
【０１０８】
インタフェースモジュールＩＮＴの機能は、ゲートウェイサービングノードＧＳＮの機能が組み込まれたインタフェースサービングノードＩＳＮの機能を含むことが可能であり、ないしはインタフェースモジュールＩＮＴで動作する接続モデルが、ゲートウェイサービングノードＧＳＮの機能も、インタフェースサービングノードＩＳＮの機能も共に含むのである。さらにベアラインターワーキング機能ＢＩＷＦもこの接続モデルに組み込むことが可能である。
【０１０９】
この実施例では分かりやすくするために、２つの通信端末装置ＴＫＥ間の接続だけについて取り扱った。しかしながら本発明には、通信ネットワークにける別の種類の接続も含まれる。例えば接続の端点として、ベアラインターワーキング機能ＢＩＷＦを設けることも可能である。
【図面の簡単な説明】
【０１１０】
【図１】初期状態にある例示的な接続モデルを示す図である
【図２】空きの印を通信端末装置に設定する際の例示的な接続モデルを示す図である
【図３】通信端末装置の第１呼出番号を転送する際の例示的な接続モデルを示している
【図４】通信ネットワークにおいて分散された接続モデル間でデータを転送する例示的な装置を示す図である
【図５】呼出トーンを通信端末装置に設定する際の例示的な接続モデルを示す図である
【図６】異種の通信ネットワークを介して２つの通信端末装置を接続する例示的な装置を示す図である
【図７】技術的に異なる複数の通信ネットワークを介して２つの通信端末装置間の接続が確立される、従来技術によるネットワークコンフィギュレーションを示す図である
【図８】技術的に異なる複数の通信ネットワークを介して２つの通信端末装置間の接続が確立される、本発明によるネットワークコンフィギュレーションを示す図である
【国際公開パンフレット】
2004532582.tif 000003
2004532582.tif 000004
2004532582.tif 000005
2004532582.tif 000006
2004532582.tif 000007
2004532582.tif 000008
2004532582.tif 000009
2004532582.tif 000010
2004532582.tif 000011
2004532582.tif 000012
2004532582.tif 000013
2004532582.tif 000014
2004532582.tif 000015
2004532582.tif 000016
2004532582.tif 000017
2004532582.tif 000018
2004532582.tif 000019
2004532582.tif 000020
2004532582.tif 000021
2004532582.tif 000022
2004532582.tif 000023
2004532582.tif 000024
2004532582.tif 000025
2004532582.tif 000026
2004532582.tif 000027
2004532582.tif 000028
2004532582.tif 000029
2004532582.tif 000030
2004532582.tif 000031
2004532582.tif 000032
2004532582.tif 000033
2004532582.tif 000034
2004532582.tif 000035
2004532582.tif 000036
2004532582.tif 000037
2004532582.tif 000038
2004532582.tif 000039
2004532582.tif 000040
2004532582.tif 000041
2004532582.tif 000042
2004532582.tif 000043
2004532582.tif 000044
2004532582.tif 000045
2004532582.tif 000046
2004532582.tif 000047
2004532582.tif 000048
2004532582.tif 000049
2004532582.tif 000050
2004532582.tif 000051
2004532582.tif 000052
2004532582.tif 000053
2004532582.tif 000054
【手続補正書】
【提出日】平成14年7月29日(2002.7.29)
【手続補正１】
【補正対象書類名】特許請求の範囲
【補正対象項目名】全文
【補正方法】変更
【補正の内容】
【特許請求の範囲】
【請求項１】
通信ネットワークにおける接続、例えば少なくとも１つの第１通信端末装置と第２通信端末装置との間の接続を制御する方法において、
−  プログラム可能な計算機にて前記接続のモデルを形成し、
−  該接続の状態に対応付けられた初期状態に当該モデルを設定し、
−  前記通信ネットワークにて該接続に関連して設定された第１手段を実行する際に、対応付けられた状態変化を前記モデルにて発生させ、
−  前記モデルにて第２手段を設定し、
−  前記モデルの振る舞いを用い第２手段に基づき、前記通信ネットワークにて当該第２手段を設定するか、別の手段を設定するか、または手段を設定しないかを判定することを特徴とする、
通信ネットワークにおける接続を制御する方法。
【請求項２】
第１通信ネットワークにおける接続、例えば少なくとも１つの第１通信端末装置と第２通信端末装置との間の接続を制御する方法であって、
−  前記第１通信ネットワークＮＥＴ１にて前記の２つの端点について、当該接続の所定の状態を得るための手段の第１集合が設定されており、
−  第２通信ネットワークＮＥＴ２にて前記の２つの端点について、前記の接続の同じ状態を得るための手段の第２集合が設定されている形式の、第１通信ネットワークにおける接続において、
−  プログラム可能な計算機にて前記の第２通信ネットワークＮＥＴ２の接続のモデルを形成し、
−  前記接続の状態に対応付けられた初期状態に当該モデルを設定し、
−  前記の第１通信ネットワークＮＥＴ１または第２通信ネットワークＮＥＴ２にて前記接続に関連して設定される第１手段を実行する際に、対応する状態変化を前記モデルにて発生させ、
−  前記第１通信ネットワークＮＥＴ１または第２通信ネットワークＮＥＴ２の第２手段を前記モデルにて設定し、
−  前記モデルの振る舞いを用い第２手段に基づき、前記第１通信ネットワークＮＥＴ１および／またはＮＥＴ２にて手段を導出し、場合によっては該手段を設定することを特徴とする、
第１通信ネットワークにおける接続を制御する方法。
【請求項３】
−  前記接続モデルを、オブジェクトとそのリンクとから構成し、
−  第１手段を実行する際にプログラム可能な計算機にて、対応付けられたオブジェクトを形成するかまたは消去し、および／または
−  第１手段を実行する際に、対応付けられた複数のオブジェクトをリンクするか、または互いに切断し、および／または
−  第１手段を実行する際に、モデルに使用され対応付けられたパラメタを変化させる、
請求項１または２に記載の方法。
【請求項４】
−  オブジェクトとして送信チャネルＳＣＨのモデルを設け、および／または
−  オブジェクトとして受信チャネルＲＣＨのモデルを設け、および／または
−  オブジェクトとしてスイッチングエレメントＳＷのモデルを設け、これによって送信チャネルＳＣＨへの受信チャネルＲＣＨの接続および切断またはその逆が行われるようにし、および／または
−  オブジェクトとして信号発生器ＴＯＧのモデルを設け、当該オブジェクトの送信チャネルＳＣＨと、別のオブジェクトの受信チャネルＲＣＨとを接続し、および／または
−  オブジェクトとして信号受信器ＣＲのモデルを設け、当該オブジェクトの受信チャネルＲＣＨと、別のオブジェクトの送信チャネルＳＣＨとを接続し、および／または
−  オブジェクトとして結合形信号ソース／シンクＳＲのモデルを設け、当該結合形信号ソース／シンクＳＲの送信チャネルＳＣＨと、別のオブジェクトのＲＣＨとを接続し、および／または前記結合形信号ソース／シンクＳＲの受信チャネルＲＣＨと、別のオブジェクトの送信チャネルＳＣＨとを接続し、および／または
−  オブジェクトとして変換エレメントＣＯＮＶを設けて、通信端末装置ＴＫＥのアドレスＡＤＤＲを１アドレス形式から別のアドレス形式に変換する、
請求項３に記載の方法。
【請求項５】
−  通信ネットワークとしてベアラに依存しない呼制御ネットワークを設け、
−  ゲートウェイサービングノードＧＳＮの機能、例えば、ゲートウェイベアラインターワーキング機能Ｇ−ＢＩＷＦに関連する構成部分を前記モデルに組み込み、および／または
−  インタフェースサービングノードＩＳＮの機能を前記モデルに組み込み、および／または
−  ベアラインターワーキング機能ＢＩＦＷを前記モデルに組み込み、および／または
−  ゲートウェイベアラインターワーキング機能Ｇ−ＢＩＷＦをモデルに組み込む、
請求項１から４までのいずれか１項に記載の方法。
【請求項６】
ゲートウェイサービングノードＧＳＮの機能、例えばゲートウェイベアラインターワーキング機能Ｇ−ＢＩＷＦに関連する構成部分を、インタフェースサービングノードＩＳＮの機能に組み込むことを特徴とする、
請求項５項に記載の方法。
【請求項７】
第１ベアラインターワーキング機能ＢＩＷＦａと第２ベアラインターワーキング機能ＢＩＷＦｂを介してサービスチャネルスイッチングを導く、
請求項６に記載の方法。
【請求項８】
通信ネットワークにおける接続を制御する方法を実施する装置において、
−  該装置は、プログラム可能な計算機を含んでおり、該計算機は、通信ネットワークにおける接続のモデルを記憶および管理するのに有利な計算機であり、
−  状態変化を発生させる手段がモデルに設けられており、該状態変化は、前記通信ネットワークに設定される第１手段に対応付けられており、
−  モデルにて第２手段を設定する手段が設けられており、
−  前記装置は、第２手段に基づいてモデルの振る舞いを評価する手段と、通信ネットワークにて該第２手段を設定するか、別の手段を設定するか、または手段を設定しないかを判定する手段とを含んでおり、
−  前記装置には、モデルから出発して、通信ネットワークにて手段を設定する手段が設けられていることを特徴とする、
請求項１から７までのいずれか１項に記載の通信ネットワークにおける接続を制御する方法を実施する装置。
【請求項９】
通信ネットワークにおける接続を制御する方法を実施する装置において、
−  第１インタフェースサービングノードＩＳＮａと、第２インタフェースサービングノードＩＳＮｂとの間にエンドツーエンドの論理的な接続が設けられており、
−  前記第１インタフェースサービングノードＩＳＮａは、第１ベアラインターワーキング機能ＢＩＷＦａ１〜ＢＩＷＦａｎに接続されており、および／または、
−  前記第２インタフェースサービングノードＩＳＮｂは、第２ベアラインターワーキング機能ＢＩＷＦｂ１〜ＢＩＷＦｂｍに接続されていることを特徴とする、
請求項８に記載の通信ネットワークにおける接続を制御する方法を実施する装置。
【国際調査報告】
2004532582.tif 000055
2004532582.tif 000056
2004532582.tif 000057
2004532582.tif 000058